(57)【特許請求の範囲】
【請求項１】
ａ．マット本体１は、平面視四角形で、横幅が２，７２７ｍｍ、縦幅が１，８１８ｍｍから成ること、
ｂ．前記マット本体１には、上下の辺間において、一直線上に上辺側から小々根太３、小根太２、中間小根太２ａ、小根太２、小々根太３が挿入されていると共に横幅方向へは３０３ｍｍピッチでそれぞれ平行に挿入されていること、
ｃ．前記小々根太３、小根太２、中間小根太２ａ、小根太２、小々根太３の左右両端のものの中心からマット本体１の左右両端までの距離は１５１．５ｍｍの長さにそれぞれ設定されていること、
ｄ．前記小々根太３の長さは、１５１．５ｍｍより僅かに短く、前記小根太２は、６０６ｍｍより僅かに短く、前記中間小根太２ａの長さは３０３ｍｍより僅かに短く設定されていることにより、それぞれの小々根太３と小根太２間にはパイプ跨ぎ間隔７がそれぞれ形成され、小根太２と中間小根太２ａ間にはそれぞれ２ヶ所に中間パイプ跨ぎ間隔８が形成されていること、
ｅ．前記マット本体１において、１ヶ所に設けた温水ヘッダー６から引き出された温水パイプ４、５は、前記パイプ跨ぎ間隔７及び中間パイプ跨ぎ間隔８を経由して一番右端の小根太２と中間小根太２ａ間のパイプ跨ぎ間隔８を除き小々根太３、小根太２、中間小根太２ａ、小々根太３で仕切られた隣の領域に２本で移り、一番右端の小根太２と中間小根太２ａ間のパイプ跨ぎ間隔８のみ１本で跨いで各小根太２、中間小根太２ａ、小々根太３間を蛇行しながらマット本体１の左右両端の１５１．５ｍｍの領域に移ってここで折り返し、再び同じように蛇行しながら温水ヘッダー６に戻る配管が行われていること、
ｆ．前記マット本体１上に上辺と下辺から各小根太２、中間小根太２ａ、小々根太３に直交するように施工されるフローリング床材の横幅は３０３ｍｍであって、マット本体１上には６枚のフローリング床材が施工されること、
ｇ．を特徴とする床暖房用温水マット。
【発明の詳細な説明】
【技術分野】
【０００１】
本願発明は、一定幅の小根太を３０３ｍｍピッチでマット本体に配置し、この小根太間に温水パイプを配管すると共に、フローリング床材を前記小根太に直交張りする施工方式を採用する床暖房用温水マットに関する。
【背景技術】
【０００２】
従来の小根太入り温水マットであって、放熱用の温水パイプを２本用いて配管したものの例を図４に示す。この図４において、マット本体２００には、４５ｍｍ幅の小根太２０１が３０３ｍｍピッチで配置されていると共に、マット本体２００の左右両端２００ａとこの左右両端２００ａに直近の小根太２０１までの距離は２５８ｍｍに夫々設定されている。また、小根太２０１の上下先端の先であって、マット本体２００の上下端２００ｂには小々根太２０２が配置され、この小々根太２０２と小根太２０１間にはパイプ跨ぎ間隔２０３が形成されていて、このパイプ跨ぎ間隔２０３内は往復で計４本の温水パイプが跨ぐ構成となっている。図４において、２０６は温水ヘッダーである。このような構成の温水マットは、規格化された大きさのものが多数用意されていて、現場の施工条件に合わせて１枚、あるいは２枚以上のマットが組み合わせて使用される。
【０００３】
したがって、２枚以上のマットを組み合わせて使用した場合、図５に示すように、２枚のマット本体２００の両端２００ａに直近の小根太２０１間の距離は、２５８×２＝５１６ｍｍと大きくなり、この間に釘打ちの空白領域ができてしまう。
そこで、図５に示すように、２枚のマットの両端２００ａの間に後付け小根太２０７をいちいち現場で配置している。このため、現場での作業が増加し、例えば集合住宅等の場合には工期にも大きく影響する。また、パイプ跨ぎ間隔２０３においては、４本のパイプが跨いでいるため、この間隔２０３は必然的に大きくなり、この分釘打ちの出来ない禁止領域が広くなる。
また、マットを上下方向に並べて使用する場合には、上記したパイプ跨ぎ間隔２０３が近接するため、釘打ち禁止領域が非常に広くなり、この分床強度の点で問題が発生する。
また、通常、規格化された温水マットの場合には、上記した釘打ち禁止領域には、間違って釘打ちがされないように「釘打ち厳禁」のシールを貼り付けたり、あるいはスタンプを押しているが、このシールを貼ったり、スタンプを押す面積と箇所が多い分マットの製作に手間とコストがかかる。
【０００４】
図６は、従来の温水マットにおいて、マット本体３００に配管される温水パイプ３０４が１本の場合の例を示すもので、このような場合の小根太３０１、小々根太３０２の配置は図４のマットと同じであり、パイプ跨ぎ間隔３０３のところでは温水パイプ３０４が４本跨ぐ構成となっている。
このため、図７に示すように、２枚のマットを左右に並べて用いる場合には、後付け小根太３０６をマット間に配置する必要があると共に、パイプ跨ぎ間隔３０３によって発生する釘打ち禁止領域の問題は図４に示したマットの場合と同様に発生する。図６、７において、３０５は温水ヘッダーである。
【発明の開示】
【発明が解決しようとする課題】
【０００５】
本発明は、斯る点に鑑みて提案されるものであって、その目的の第１は、温水マットを左右に並べて使用する場合に、後付け小根太をマット間に配置しないで済む温水マットを提供することである。
更に、第２の目的は、釘打ち禁止領域が可及的に小さくなるように小根太及び小々根太の配置に工夫した温水マットを提供することである。
【課題を解決するための手段】
【０００６】
上記目的を達成するため、請求項１に記載の発明においては、床暖房用温水マットにおいて、ａ．マット本体１は、平面視四角形で、横幅が２，７２７ｍｍ、縦幅が１，８１８ｍｍから成ること、
ｂ．前記マット本体１には、上下の辺間において、一直線上に上辺側から小々根太３、小根太２、中間小根太２ａ、小根太２、小々根太３が挿入されていると共に横幅方向へは３０３ｍｍピッチでそれぞれ平行に挿入されていること、
ｃ．前記小々根太３、小根太２、中間小根太２ａ、小根太２、小々根太３の左右両端のものの中心からマット本体１の左右両端までの距離は１５１．５ｍｍの長さにそれぞれ設定されていること、
ｄ．前記小々根太３の長さは、１５１．５ｍｍより僅かに短く、前記小根太２は、６０６ｍｍより僅かに短く、前記中間小根太２ａの長さは３０３ｍｍより僅かに短く設定されていることにより、それぞれの小々根太３と小根太２間にはパイプ跨ぎ間隔７がそれぞれ形成され、小根太２と中間小根太２ａ間にはそれぞれ２ヶ所に中間パイプ跨ぎ間隔８が形成されていること、
ｅ．前記マット本体１において、１ヶ所に設けた温水ヘッダー６から引き出された温水パイプ４、５は、前記パイプ跨ぎ間隔７及び中間パイプ跨ぎ間隔８を経由して一番右端の小根太２と中間小根太２ａ間のパイプ跨ぎ間隔８を除き小々根太３、小根太２、中間小根太２ａ、小々根太３で仕切られた隣の領域に２本で移り、一番右端の小根太２と中間小根太２ａ間のパイプ跨ぎ間隔８のみ１本で跨いで各小根太２、中間小根太２ａ、小々根太３間を蛇行しながらマット本体１の左右両端の１５１．５ｍｍの領域に移ってここで折り返し、再び同じように蛇行しながら温水ヘッダー６に戻る配管が行われていること、
ｆ．前記マット本体１上に上辺と下辺から各小根太２、中間小根太２ａ、小々根太３に直交するように施工されるフローリング床材の横幅は３０３ｍｍであって、マット本体１上には６枚のフローリング床材が施工されること、
ｇ．を特徴とするものである。
【発明の効果】
【０００７】
マット本体において、その両端とこの両端に直近の小根太の中心までの距離を１５１.
５ｍｍに設定したことにより、マットを横に並べて使用したときに、継ぎ目を中間にした隣り合うマット同士の直近の小根太間のピッチは１５１.５ｍｍ×２＝３０３ｍｍピッチ
となる。
よって、現場で後付け小根太を配置する必要がなくなり、作業性が向上する。
次に、パイプ跨ぎ間隔を使用フローリングの幅より小さく形成したことにより、一ヶ所パイプ跨ぎ間隔を避けると、必然的に他のパイプ跨ぎ間隔を避けることができる。また、２枚のマットを上下に施工する場合も同様に上下両方のマットのパイプ跨ぎ間隔を避けることができる。
【０００８】
次に、釘打ち禁止領域が狭くなり、「釘打ち厳禁」のシールを貼ったり、スタンプを押す手間が省け、マットの製作コストの低減に寄与することができる。
次に、パイプ跨ぎ間隔が小さくなり、釘打ち箇所が従来に比較して多くなるため、床強度が高まる。特に、この効果は、マットを上下方向に並べて使用した場合に顕著である。
【発明を実施するための最良の形態】
【０００９】
温水マットの大きさは、縦横ともに日本の住宅の基準に合わせた３０３ｍｍ×ｎ倍である。そして、このマットには、３０３ｍｍピッチで小根太が配置されており、この小根太の幅は通常４５ｍｍである。温水パイプは２本である。
フローリングは、通常３０３ｍｍ幅である。
【実施例１】
【００１０】
本実施例１は、請求項１に記載した発明に対応するもので、図１に示すように、２本の温水チューブを用いた温水マットであって、図１はマットの平面図、図２はＡ−Ａ´線断面図、図３はＢ−Ｂ´線断面図である。この図１〜３において、マット本体１の大きさは、横幅が２，７２７、縦幅が１，８１８ｍｍである。
また、具体的な構成は次のとおりである。
【００１１】
ａ．マット本体１は、平面視四角形で、横幅が２，７２７ｍｍ、縦幅が１，８１８ｍｍ から成る。
ｂ．前記マット本体１には、上下の辺間において、一直線上に上辺側から小々根太３、 小根太２、中間小根太２ａ、小根太２、小々根太３が挿入されていると共に横幅方向 へは３０３ｍｍピッチでそれぞれ平行に挿入されている。
ｃ．前記小々根太３、小根太２、中間小根太２ａ、小根太２、小々根太３の左右両端の ものの中心からマット本体１の左右両端までの距離は１５１．５ｍｍの長さにそれぞ れ設定されている。
ｄ．前記小々根太３の長さは、１５１．５ｍｍより僅かに短く、前記小根太２は、
６０６ｍｍより僅かに短く、前記中間小根太２ａの長さは３０３ｍｍより僅かに短く 設定されていることにより、それぞれの小々根太３と小根太２間にはパイプ跨ぎ間隔 ７がそれぞれ形成され、小根太２と中間小根太２ａ間にはそれぞれ２ヶ所に中間パイ プ跨ぎ間隔８が形成されている。
ｅ．前記マット本体１において、１ヶ所に設けた温水ヘッダー６から引き出された温水 パイプ４、５は、前記パイプ跨ぎ間隔７及び中間パイプ跨ぎ間隔８を経由して一番右 端の小根太２と中間小根太２ａ間のパイプ跨ぎ間隔８を除き小々根太３、小根太２、 中間小根太２ａ、小々根太３で仕切られた隣の領域に２本で移り、一番右端の小根太 ２と中間小根太２ａ間のパイプ跨ぎ間隔８のみ１本で跨いで各小根太２、中間小根太 ２ａ、小々根太３間を蛇行しながらマット本体１の左右両端の１５１．５ｍｍの領域 に移ってここで折り返し、再び同じように蛇行しながら温水ヘッダー６に戻る配管が 行われている。
ｆ．前記マット本体１上に上辺と下辺から各小根太２、中間小根太２ａ、小々根太３に 直交するように施工されるフローリング床材の横幅は３０３ｍｍであって、マット本 体１上には６枚のフローリング床材が施工される。
【００１２】
本実施例１の温水マットは、折り畳みラインｂごとに折り畳んで運搬や格納がしやすい構成となっている。但し、この折り畳み箇所は任意である。
また、本実施例の温水マットにあっては、マットの左右ばかりでなく、上下方向においても、パイプ跨ぎ間隔７の中心からマット本体１の上下端１ｂまでの距離が１５１．５ｍｍ（又は１５１．５ｍｍ×ｎ倍）となっているため、マットを上下方向に並べて使用する場合にも、３０３ｍｍあるいは３０３ｍｍ×１/ｎ幅のフローリング床材を用いる限り、一つの間隔を避けることにより、すべての間隔を避けてフローリング床材を張ることができる。なお、図１において、７ａ及び８ａは「釘打ち厳禁」のシールを貼るか、スタンプを押す位置であり、このように、横一直線状に釘打ち禁止領域が決ることにより、シールを貼ったり、スタンプを押すのが簡単になると共に釘打ち箇所を間違える心配もなくなる。
【図面の簡単な説明】
【００１３】
【図１】実施例１に係る温水マットの平面図
【図２】Ａ−Ａ´線断面図
【図３】Ｂ−Ｂ´線断面図
【図４】温水パイプを２本用いた従来の温水マットの平面図
【図５】図４の温水マットを横に２枚並べて後付け小根太を用いる施工例の説明図
【図６】温水パイプを１本用いた従来の温水マットの説明図
【図７】図６の温水マットを横に２枚並べて後付け小根太を用いる施工例の説明図
【符号の説明】
【００１４】
１  マット本体
２  小根太
３  小々根太
４、５  温水パイプ
６  温水ヘッダー
７  パイプ跨ぎ間隔
８  中間パイプ跨ぎ間隔
【図１】
0004216158.tif 000002
【図２】
0004216158.tif 000003
【図３】
0004216158.tif 000004
【図４】
0004216158.tif 000005
【図５】
0004216158.tif 000006
【図６】
0004216158.tif 000007
【図７】
0004216158.tif 000008